(57)【要約】【課題】  ネットワーク上のトラフィックによるストリームが途切れて、再生不能になるといった不安定さを解消すると同時にコンテンツの著作権者の権利を損なうような配信を防止すること。【解決手段】  ネットワーク上に接続されたストリーム蓄積装置から送信されたストリームを一度記憶し、ストリーム受信装置からのストリーム再生要求に従って配信するストリーム配信装置によるストリーム再生システムにおいて、ストリーム配信装置は、ストリーム受信装置管理手段を有し、管理手段として、例えばストリーム配信装置が固有で持っている、MACアドレスやIPアドレス、更には私的再生の範囲内で設定されたローカルアドレスで管理する。ネットワーク上に接続されたストリーム蓄積装置から送信されたストリームは、ストリーム配信装置のデータ記憶部に記憶され、上記管理されたストリーム受信装置に対してのみ記憶されたストリームを配信する。【選択図】  図１
2005182097.tif 000002
【特許請求の範囲】
【請求項１】
ネットワーク上に接続されたストリーム蓄積装置と、該ストリーム蓄積装置より送信されたストリームを受信するストリーム受信装置と、該ストリーム蓄積装置より送信されたストリームを一度記憶し、該ストリーム受信装置からのストリーム再生要求に従って記憶したストリームを配信するストリーム配信装置からなるストリーム再生システムにおいて、
前記ストリーム配信装置は、ストリーム受信装置を管理するストリーム受信装置管理手段と、ストリームを記憶するデータ記憶部を具備し、上記ストリーム蓄積装置から送信されたストリームを該データ記憶部に記憶しておき、該ストリーム受信装置管理手段が管理するストリーム受信装置からのストリーム再生要求に従って、該データ記憶部から該当ストリームを配信することを特徴としたストリーム再生システム。
【請求項２】
ネットワーク上に接続されたストリーム受信装置からのストリーム再生要求に従って、ストリーム蓄積装置より送信されたストリームを一度記憶し、記憶したストリームを該ストリーム受信装置へ配信するストリーム配信装置において、
前記ストリーム受信装置を管理するストリーム受信装置管理手段と、
ストリームを記憶するデータ記憶部とを具備し、
前記ストリーム蓄積装置から送信されたストリームを該データ記憶部に記憶しておき、該ストリーム受信装置管理手段が管理する前記ストリーム受信装置からのストリーム再生要求に従って、該データ記憶部から該当ストリームを配信することを特徴としたストリーム配信装置。
【請求項３】
前記ストリーム受信装置管理手段は、ID管理テーブルを具備し、該ID管理テーブルに前記ストリーム受信装置が有する固有のIDを登録し、該登録されたIDを有するストリーム受信装置からのストリーム再生要求に従って、データ記憶部から該当ストリームを配信することを特徴とした請求項２記載のストリーム配信装置。
【請求項４】
前記ストリーム受信装置管理手段は、ストリーム受信装置をリンクローカルアドレスで管理し、管理されたリンクローカルアドレスを有するストリーム受信装置からのストリーム再生要求に従って、データ記憶部から該当ストリームをマルチキャストで配信することを特徴とした請求項３記載のストリーム配信装置。
【請求項５】
前記ストリーム配信装置は、ストリーム記憶・配信切り替え手段を具備し、前記ストリーム受信装置管理手段によって管理されたストリーム受信装置から再生要求を受信して、データ記憶部に該当ストリームが存在するか否かを判断し、存在しない時、前記ストリーム蓄積装置から送信されるストリームをデータ記憶部に記憶すると共に上記ストリーム受信装置に該ストリームを配信することを特徴とした請求項２から４のいずれかに記載のストリーム配信装置。
【請求項６】
前記データ記憶部は、ネットワーク上の前記ストリーム蓄積装置によって送信されたストリームをパケットごと記憶し、前記ストリーム受信装置からのストリーム再生要求に従って、上記記憶したパケットをストリーム受信装置に配信することを特徴とした請求項２から５のいずれかに記載のストリーム配信装置。
【請求項７】
ネットワーク上に接続されたストリーム蓄積装置と、該ストリーム蓄積装置より送信されたストリームを受信するストリーム受信装置と、該ストリーム蓄積装置より送信されたストリームを一度記憶し、該ストリーム受信装置からのストリーム再生要求に従って記憶したストリームを配信するストリーム配信装置からなるストリーム再生システムに用いられるストリーム蓄積装置において、
前記ストリーム蓄積装置は、ストリーム送信切り替え手段を具備し、ストリーム受信要求の発行元がストリーム受信装置であるかストリーム配信装置であるかを判断し、ストリーム受信装置には記憶不可なストリームを、ストリーム配信装置には記憶可能なストリームを送信することを特徴としたストリーム蓄積装置。
【請求項８】
前記ストリーム受信装置管理手段は、ID管理テーブルを具備し、該ID管理テーブルに前記ストリーム受信装置が有する固有のIDを登録し、該登録されたIDを有するストリーム受信装置からのストリーム再生要求に従って、データ記憶部から該当ストリームを配信することを特徴とした請求項１記載のストリーム再生システム。
【発明の詳細な説明】
【技術分野】
【０００１】
本発明は、宅内などのネットワークに接続された情報機器装置から別のネットワークに接続しストリームを再生する際に好適なストリーム再生システムに関する。
【背景技術】
【０００２】
近年、インターネットへのアクセス回線が高速化するにつれ、ストリーミング技術を用いて映画や音楽などを配信するサービスが増加している。インターネット上のストリームサーバからストリーム映像を受信する際のネットワーク回線の状況、例えば高速回線と低速回線が混合した状態やトラフィック状態、ＰＣ性能、あるストリームサーバへアクセスが集中した場合に、ストリーム映像の映像が途切れたり、再生不能になることがある。この様な問題を対策する手段として、ビデオ受像機と、通信ケーブルとビデオ受像機を接続する端末装置と、ゲートウェイと大容量記憶装置とを備え、ネットワークからダウンロードされるビデオ映像を大容量記憶装置に記憶し、端末装置からの再生要求に基づいて、前記記憶したビデオ映像を端末装置に出力し、端末装置はビデオ受像機に出力する方法が開示されている（特許文献１参照）。
【０００３】
【特許文献１】特開２００３−１１６１１６号公報
【発明の開示】
【発明が解決しようとする課題】
【０００４】
本発明で解決しようとする課題は、ネットワーク上のトラフィックによるストリームの不安定さを解消する上記従来の技術において、コンテンツの著作権者の権利を損なう再配信が可能である問題を解決するものである。例えばネットワーク上のサーバにおけるコンテンツの公開期間が過ぎても視聴したい、何回でも繰り返し視聴したい、というユーザの希望を私的再生の範囲内で実現させた時に、コンテンツの著作権者の権利を損なうような配信を防止することである。
【課題を解決するための手段】
【０００５】
上記課題を解決するために、本発明ではネットワーク上に接続されたストリーム蓄積装置と、該ストリーム蓄積装置より送信されたストリームを受信するストリーム受信装置と、該ストリーム蓄積装置より送信されたストリームを一度記憶し、該ストリーム受信装置からのストリーム再生要求に従って記憶したストリームを配信するストリーム配信装置からなるストリーム再生システムにおいて、ストリーム配信装置は、ストリーム受信装置を管理するストリーム受信装置管理手段を有し、ストリーム配信装置を管理する。ストリーム配信装置の管理手段として、例えばストリーム受信装置が固有で持っている、MACアドレスやIPアドレス、更には個人で管理しているローカルアドレス（リンクローカルアドレス）で管理する。ネットワーク上に接続されたストリーム蓄積装置から送信されたストリームは、ストリーム配信装置のデータ記憶部に記憶され、上記管理されたストリーム受信装置に対してのみ記憶されたストリームを配信する。
【発明の効果】
【０００６】
以上説明したように、本発明によれば、ネットワークのトラフィックによる再生の不安定さを解消し、コンテンツの著作権者の権利を損なうストリーム配信を防止できるという効果がある。
【発明を実施するための最良の形態】
【０００７】
本発明の実施の形態について、以下図面を用いて説明する。
本実施の形態では、一例として家庭内のホームネットワークにおいて、インターネットからストリーム映像を受信して再生する方式について述べる。
図1は本発明の第1の実施形態を示す図である。1はインターネットを指す。2はストリーム蓄積装置でインターネット1上に接続され、ストリームにエンコードされたストリーム映像201を有する例えばストリームサーバである。3はゲートウェイ装置で、インターネット1とホームネットワークとを繋ぐ。4はストリーム受信装置であり、例えばパソコンやテレビである。5はストリーム配信装置でストリーム受信装置4を管理するストリーム受信装置管理手段501とストリーム蓄積装置2から送信されたストリーム映像201を記憶するデータ記憶部502を有する例えば家庭内配信サーバである。本実施の形態の特徴は、ストリーム配信装置5は、インターネットに接続されたストリーム蓄積装置2が保持するストリーム映像201をデータ記憶部502に記憶しておき、ストリーム受信装置管理手段501によって管理されているストリーム受信装置4からの再生要求に従って、上記データ記憶部502から該当するストリーム映像をストリーム受信装置4に配信することである。
【０００８】
次に、本実施の形態のストリーム受信装置管理手段501について詳しく説明する。本実施の形態では、ストリーム受信装置管理方法として、ストリーム受信装置4が保持するIPアドレスを用いた方法について説明する。
図2は、ストリーム配信装置5が有するストリーム受信装置管理手段501の詳細を示す図である。5011は再生要求受信部でストリーム受信装置4からの再生要求を受信する。5012は認証判断部で、再生要求を発信したストリーム受信装置4のIPアドレスより認証を行う。5013はデータ取得部で、認証判断部5012で認証されているストリーム受信装置4からの受信要求であれば、データ記憶部502から該当するストリームデータを取得する。5014はストリーム送信部で、データ取得部5013がデータ記憶部502より取得したストリームをストリーム受信装置4へむけて送信する。503はID管理テーブルでたとえばIPアドレスでストリーム送信装置4と対応させて管理している。
【０００９】
図3にID管理テーブルを示す。例えば、ストリーム再生装置401のIPアドレスはIPA1、ストリーム再生装置402のIPアドレスはIPA2であるとすると図3に示すように、ストリーム受信装置とIPアドレスを対応させて管理している。
【００１０】
本実施形態の処理のフローを図4に示す。例えばストリーム受信装置401からストリーム配信装置5に対して再生要求があると、再生要求受信部5011で上記再生要求が受信される。再生要求受信部5011でストリーム再生装置401からの再生要求を受信すると、認証判断部5012は上記受信した再生要求を送信したストリーム再生装置401のIPアドレスIPA1がID管理テーブル503に登録されているかを調査する。
本実施の形態では、上記IPA1はID管理テーブル503に登録されているので認証判断部5012は、再生要求を認証する。データ取得部5013は、上記認証された再生要求から該当するストリームをデータ記憶部502から取得し、ストリーム送信部5014からストリーム受信装置401へ向けてストリームを送信する。ID管理テーブル503に登録されていないIPアドレスを持つストリーム受信装置4、例えばIPA3のIPアドレスを有するストリーム再生装置403から再生要求を再生要求受信部5011が受信した時、認証判断部5012はID管理テーブル503を参照して、登録されていないIPアドレスIPA3とストリーム受信装置403なので、該当するストリームをストリーム受信装置403へ送信しない。
【００１１】
以上により、本実施の形態によると、ネットワーク回線の状況やあるコンテンツへのアクセス集中によるストリーム再生の不安定さを考慮することなく再生可能となる。また、ID管理テーブル503に登録され、認証されたストリーム受信装置にのみデータ記憶部502に記憶されたストリームを配信することで、コンテンツの著作権者の権利を損なう配信を防止することができる。
また、ID管理テーブル503が各ストリーム受信装置4をリンクローカルアドレスで管理し、ストリーム送信部5014によりマルチキャストに該当ストリームを配信することで、ストリーム配信装置5は、該ストリーム配信装置5に接続されているストリーム受信装置4全てに対してデータ記憶部502に記憶したストリームを配信することが可能であり、ストリーム受信装置4は上記配信されているストリームを何時でも視聴することが可能である。
更に、前記した第1の実施の形態と本方式を組み合わせることで、例えば外部のストリーム受信装置がストリーム配信装置5に接続して、該ストリーム配信装置5がデータ記憶部502で記憶するストリームを視聴しようとしても、本方式では視聴することができず、コンテンツの著作権者の権利を損なう配信を防止することができる。
【００１２】
次に、本発明の第2実施形態について説明する。図5は本実施の形態におけるストリーム再生システムを示す図である。504はデータ取得切り替え手段で、ストリーム受信装置4からのストリーム受信要求に従って、インターネット1に接続されたストリーム蓄積装置2或いはストリーム配信装置5が具備するデータ記憶部502からストリームを取得する。例えば、ID管理テーブル503にIPアドレスが登録され、認証判断部5012で認証を受けたストリーム受信装置401乃至402からストリーム受信要求があると、データ取得切り替え手段504はデータ記憶部502から該当ストリームを取得し、ストリーム受信装置401乃至402へ該当ストリームを配信する。
【００１３】
ID管理テーブル503にIPアドレスが登録されてなく、認証判断部5012で認証を受けていないストリーム受信装置403からストリーム再生要求があると、データ取得切り替え手段504は、インターネット1に接続されたストリーム蓄積装置2からストリームデータ201をダウンロードする。
該ダウンロードストリームデータ201は、今後認証判断部5012で認証を受けたストリーム受信装置401乃至402からのストリーム再生要求受信時に配信できるようにデータ記憶部502に記憶しておく。一方認証されていないストリーム受信装置403へは、インターネット1に接続されたストリーム蓄積装置2から送信されたストリームを配信し、データ記憶部502に記憶しているストリームは配信しない。
以上のように、ストリーム受信装置4からストリーム再生要求があった時、ストリーム配信先管理手段501によって管理されているか否かにより、配信するコンテンツを切り替えることで、コンテンツの著作権者の権利を損なう配信を防止することができる。
【００１４】
次に、第3の実施の形態について説明する。図６は本発明の第3の実施形態におけるストリーム蓄積装置2を詳細に示した図である。202はストリーム選択手段で、ストリーム再生要求元がストリーム配信装置5かストリーム受信装置401かによって送信するストリームを、記憶可能ストリーム2011と記憶不可能ストリーム2012とで切り替える。203はストリーム送信手段で上記ストリーム再生要求元によって選択されたストリームを、ストリーム配信装置5やストリーム受信装置401に送信する。
例えば、ストリーム配信装置5よりストリーム再生要求があった時、ストリーム選択手段202はストリームデータ201より記憶可能ストリーム2011を選択し、ストリーム送信手段203へ上記記憶可能ストリーム2011の送信を委ねる。ただし、ストリーム蓄積装置2とストリーム配信装置5とはお互いに前もって認証されているものとする。ストリーム送信手段203から送信された記憶可能ストリーム2011は、インターネット1、ゲートウェイ装置3を介して、ストリーム配信装置5に送信される。
【００１５】
ストリーム配信装置5に到達した記憶可能ストリーム2011はデータ記憶部502に記憶される。一方、ストリーム受信装置403からのストリーム再生要求があった場合、ストリーム選択手段202によって記憶不可能ストリームが選択され、ストリーム送信手段203へ上記記憶不可能ストリームの送信処理を委ねる。ストリーム送信手段203より送信された記憶不可能ストリーム2012は、ネットワーク1、ゲートウェイ装置3を介してストリーム配信装置5に送信される。ここで、ストリーム配信装置5は、上記記憶不可能ストリーム2012をそのままストリーム受信装置403に配信する。
【００１６】
以上のように本発明の第3の実施形態によると、ストリーム再生要求元がストリーム配信装置5かストリーム受信装置403かによって、送信するストリームを記憶可能なストリーム2011か或いは記憶不可能ストリーム2012かで切り替えて送信することにより、記憶可能ストリーム2011はストリーム配信装置5に到達すると、その先のストリーム受信装置は認証されているので、コンテンツの著作権者の権利を損なう配信を防止できる。
また記憶不可能ストリーム2012はストリーム配信装置5のデータ記憶部502に記憶されなく直接ストリーム再生要求をしたストリーム受信装置403に送信されるので、記憶不可能ストリーム2012が他ストリーム受信装置に視聴されることはない。
【００１７】
以上、本発明の実施の形態について、ストリーム受信再生装置の管理方法についてIPアドレスを用いた認証の例を挙げて説明した。また、リンクローカルアドレスに向かってマルチキャストでストリームを配信する方法について述べた。しかし、現在急速に普及が広がっているIPv6アドレスを用いると、グローバルアドレスが割り当てられたストリーム受信装置は、IPv6アドレスのプレフィックス（上位64ビット）などで管理でき、ストリーム配信装置5と同一のプレフィックスを持つストリーム受信装置に対してマルチキャストでストリームを配信することも可能である。
また、本発明の実施形態ではストリーム配信装置5が保持するID管理テーブル503に、ストリーム受信装置4のIPアドレスIPAを登録して管理していたが、ストリーム受信装置4が判別できる他の手法、例えばMACアドレスの登録によるストリーム受信装置4の管理等が考えられ、特にIPアドレスに限定するものではない。
【００１８】
以上述べたように、本発明によれば、ネットワーク回線の状況や、あるコンテンツへのアクセス集中による再生映像の途切れ、再生不能といった不安定さを解消するのと同時に、コンテンツ著作権者の権利を損なうような配信を防止することができる。
【図面の簡単な説明】
【００１９】
【図１】第1の実施形態における構成図。
【図２】第1の実施形態におけるストリーム受信装置管理手段の詳細を示す図。
【図３】第1の実施形態におけるID管理テーブルを示した図。
【図４】第1の実施形態における処理フローを示す図。
【図５】本発明の第2の実施形態におけるストリーム配信装置の詳細図。
【図６】本発明の第3の実施形態におけるストリーム蓄積装置の詳細図。
【符号の説明】
【００２０】
1…インターネット
2…ストリーム蓄積装置
201…ストリームデータ
202…ストリーム選択手段
203…ストリーム送信手段
3…ゲートウェイ装置
4…ストリーム受信装置
5…ストリーム配信装置
501…ストリーム配信先管理手段
502…データ記憶部
503…ID管理テーブル
504…データ取得切り替え手段
【図１】
2005182097.tif 000003
【図２】
2005182097.tif 000004
【図３】
2005182097.tif 000005
【図４】
2005182097.tif 000006
【図５】
2005182097.tif 000007
【図６】
2005182097.tif 000008